(57)【要約】【課題】棚の幅選択の自由度、並びに、棚の高さ方向及び左右方向の配設の自由度が高く、使用形態等の変化に容易に対応できる実用的な棚付き机を得る。【解決手段】両側部が脚３又は少なくとも一側部が袖引き出し４で支持された天板１と、天板１の上下の後側に配設された背板２と、背板２の天板１の上側及び下側に左右方向に少なくとも３列設けられた上下方向複数個の取付手段３２，・・・と、これら取付手段３２，・・・の左右方向の２列に両端部を取り付け可能であると共に、少なくとも２種類の幅を有する複数の棚体２１，２２とを備え、背板２の天板１の上側及び下側、並びに、背板２の左右方向及び高さ方向を変えて選択した取付手段３２，・・・を用いて、複数の棚体２１，２２の背板２への選択的な配置を行う。【選択図】        図６
2005013523.tif 000002
【特許請求の範囲】
【請求項１】
両側部が脚又は少なくとも一側部が袖引き出しで支持された天板と、
この天板の後側に、該天板の上側及び下側に配設された背面部材と、
この背面部材の前記天板の上側及び下側に左右方向に少なくとも３列設けられた上下方向複数個の取付手段と、
これら取付手段の左右方向の２列に両端部を取り付け可能であると共に、少なくとも２種類の幅を有する複数の棚体とを備え、
前記背面部材の前記天板の上側及び下側、並びに、前記背面部材の左右方向及び高さ方向を変えて選択した前記取付手段を用いて、前記複数の棚体の前記背面部材への選択的な配置を行うことを特徴とする棚付き机。
【請求項２】
前記取付手段を、左右方向に３列設けると共に、横幅が異なる２種類の棚体を備え、前記３列の取付手段の一番左の列と中間の列及び／又は前記３列の取付手段の一番右の列と中間の列を横幅が短い棚体の取り付けに使用し、前記３列の取付手段の一番左の列と一番右の列を横幅が長い棚体の取り付けに使用してなる請求項１記載の棚付き机。
【請求項３】
前記取付手段を、左右方向に４列設けると共に、横幅が異なる２種類の棚体を備え、前記４列の取付手段の一番左の列と左から二番目の列及び前記４列の取付手段の一番右の列と右から二番目の列を横幅が短い棚体の取り付けに使用し、前記４列の取付手段の一番左の列と右から二番目の列及び前記４列の取付手段の一番右の列と左から二番目の列を横幅が長い棚体の取り付けに使用してなる請求項１記載の棚付き机。
【請求項４】
前記取付手段が、前記背面部材に形成された上下方向複数個の棚体取付孔であり、これら棚体取付孔を選択して、前記棚体の両端部後面に配設された雌ねじに前記背面部材の後面側から前記選択した棚体取付孔を通してボルトを螺合することにより、前記複数の棚体を前記背面部材に取り付けてなる請求項１〜３のいずれかに記載の棚付き机。
【請求項５】
前記棚体が、水平の棚板の左右両端に、後面に雌ねじを配設した固定板を配設すると共に、前記棚板上に少なくとも１枚の仕切板を配設したものである請求項４記載の棚付き机。
【請求項６】
前記背面部材が、一体に形成されてなると共に、前記天板の後面に取着されてなる請求項１〜５のいずれかに記載の棚付き机。
【請求項７】
前記天板の一側部を脚で他側部をキャスター又はコロを下面に設けてなる袖引き出しで支持し、該袖引き出しの左右方向の移動を案内するガイド手段を設け、これら袖引き出し及び脚を入れ替え可能に構成すると共に、前記天板の横幅を、前記袖引き出しの横幅と前記複数の棚体の中で最も横幅が長い棚体の横幅との和よりも大きく形成してなる請求項１〜６のいずれかに記載の棚付き机。
【発明の詳細な説明】
【０００１】
【発明の属する技術分野】
本発明は、棚付き机に関わり、更に詳しくは、棚体の幅選択の自由度、並びに、棚体の高さ方向及び左右方向の配設の自由度が高い棚付き机に関するものである。
【０００２】
【従来の技術】
従来の棚付き机において、天板上に互いに分離可能な左右一対の本棚を配設して、一般的形態で利用する際には左右の本棚を天板の幅方向全域に配置し、天板上にパーソナルコンピュータを配置する必要が生じた際には一方の本棚のみを残して他方の本棚を天板上から下肢空間に移動させるもの（例えば、特許文献１参照。）がある。
【０００３】
また、使用者の成長に伴う学習作業形態の変化、或いは、机上形態の好みや使い勝手の変化等に応じて、机本体と下側棚及び上側棚との組合せを変更することにより、机本体の天板上面に下側棚と上側棚とを配設した第１使用形態と机本体の天板上面に下側棚のみを配設した第２使用形態等に変更自在に構成し、前記第２使用形態において、上側棚の本立てを机本体の膝入れ空間の奥側に移動させるもの（例えば、特許文献２参照。）がある。
【０００４】
また、棚板が装着された棚板支持体の高さを調整して天板上の仕切空間を変更できるようにしたもの（例えば、特許文献３参照。）がある。
【０００５】
【特許文献１】
登録実用新案第３０３３９３９号公報（第７−１０頁、図１、図７−８）
【特許文献２】
特開２００１−２５４１３号公報（第２頁、第４−５頁、図１、図１３−１４）
【特許文献３】
特開平１１−１８８４１号公報（第３−４頁、図１、図６）
【０００６】
【発明が解決しようとする課題】
以上のような従来の棚付き机において、特許文献１の構成では、左右一対の本棚を各々３点支持構造として天板面の活用性を阻害しない態様で自立性を付与しているため、一方の本棚を天板上に残して他方の本棚を下肢空間に移動させる場合に、天板上に残す本棚を４点支持構造とする必要がある。したがって、下肢空間に移動させる本棚から天板上に残す本棚に支持要素を付け替える必要がある。
また、本棚の幅選択の自由度、並びに、本棚の高さ方向及び左右方向の配設の自由度が低いという問題点があった。
【０００７】
特許文献２の構成では、第２使用形態において、上側棚の側板と本立てを分離して本立てのみを机本体の膝入れ空間に奥側に移動させるため、第２使用形態においては上側棚の側板が利用されないことになる。また、本棚の幅選択の自由度、並びに、本棚の高さ方向及び左右方向の配設の自由度が低いという問題点があった。
【０００８】
特許文献３の構成では、前面側に棚板が装着される棚板支持体を上下に移動可能に設けて棚板の高さを任意に変更することができるため、棚板の高さ方向の配設の自由度は高いが、棚板の左右方向の配設の自由度及び棚板の幅選択の自由度が低いという問題点があった。
【０００９】
本発明は、前記のような問題点を解決するためになされたものであり、棚体の幅選択の自由度、並びに、棚体の高さ方向及び左右方向の配設の自由度が高く、使用形態等の変化に容易に対応できる実用的な棚付き机を得ることを目的とする。
【００１０】
【課題を解決するための手段】
本発明に係る棚付き机は、両側部が脚又は少なくとも一側部が袖引き出しで支持された天板と、この天板の後側に、該天板の上側及び下側に配設された背面部材と、この背面部材の前記天板の上側及び下側に左右方向に少なくとも３列設けられた上下方向複数個の取付手段と、これら取付手段の左右方向の２列に両端部を取り付け可能であると共に、少なくとも２種類の幅を有する複数の棚体とを備え、前記背面部材の前記天板の上側及び下側、並びに、前記背面部材の左右方向及び高さ方向を変えて選択した前記取付手段を用いて、前記複数の棚体の前記背面部材への選択的な配置を行うものである。
【００１１】
ここで、前記取付手段を、左右方向に３列設けると共に、横幅が異なる２種類の棚体を備え、前記３列の取付手段の一番左の列と中間の列及び／又は前記３列の取付手段の一番右の列と中間の列を横幅が短い棚体の取り付けに使用し、前記３列の取付手段の一番左の列と一番右の列を横幅が長い棚体の取り付けに使用してなると好ましい。
【００１２】
また、前記取付手段を、左右方向に４列設けると共に、横幅が異なる２種類の棚体を備え、前記４列の取付手段の一番左の列と左から二番目の列及び前記４列の取付手段の一番右の列と右から二番目の列を横幅が短い棚体の取り付けに使用し、前記４列の取付手段の一番左の列と右から二番目の列及び前記４列の取付手段の一番右の列と左から二番目の列を横幅が長い棚体の取り付けに使用してなると好ましい。
【００１３】
さらに、前記取付手段が、前記背面部材に形成された上下方向複数個の棚体取付孔であり、これら棚体取付孔を選択して、前記棚体の両端部後面に配設された雌ねじに前記背面部材の後面側から前記選択した棚体取付孔を通してボルトを螺合することにより、前記複数の棚体を前記背面部材に取り付けてなると好ましい。
【００１４】
さらにまた、前記棚体が、水平の棚板の左右両端に、後面に雌ねじを配設した固定板を配設すると共に、前記棚板上に少なくとも１枚の仕切板を配設したものであると好ましい。
【００１５】
また、前記背面部材が、一体に形成されてなると共に、前記天板の後面に取着されてなると好ましい。
【００１６】
さらに、前記天板の一側部を脚で他側部をキャスター又はコロを下面に設けてなる袖引き出しで支持し、該袖引き出しの左右方向の移動を案内するガイド手段を設け、これら袖引き出し及び脚を入れ替え可能に構成すると共に、前記天板の横幅を、前記袖引き出しの横幅と前記複数の棚体の中で最も横幅が長い棚体の横幅との和よりも大きく形成してなると好ましい。
【００１７】
【発明の実施の形態】
次に本発明の実施の形態を添付図面に基づき詳細に説明する。なお、以下において、机に正面から向かった状態で、手前側を前、その反対側を後、左側を左、右側を右とする。
【００１８】
図１〜図３は、本発明の実施の形態に係る棚付き机の構成例を示す斜視図、正面図及び左側面図であり、袖引き出しで天板を支持すると共に、該袖引き出しを前記天板下面側方から前記天板の側端を越えて側方へ移動可能とした棚付き机を示している。また、図２（ａ）は、膝入れ空間を広げると共に袖引き出しの天板も机上スペースとして活用するために袖引き出しを右側に移動させた場合、図２（ｂ）は、設置スペースを小さくするために袖引き出しを左側に移動させ場合を示している。
【００１９】
図１〜図３において、天板１後端には、天板１上側及び下側に配設された背面部材である背板２が螺設され、天板１左側面には脚３が配設されており、天板１下面右には袖引き出し４が左右方向に移動可能に配設されている。また、背板２前面には、横幅が短い棚体２１及び横幅が長い棚体２２を適宜位置に螺設することができ、図１及び図２の例では、天板１上側の背板２の右側のみに横幅が短い棚体２１を１個のみ配設し、天板１下側の膝入れ空間Ｓの後側に横幅が短い棚体２１及び横幅が長い棚体２２を上下に配設した場合を示している。このような使用形態は、例えば天板上の左側にパーソナルコンピュータを載置させて学習等を行う場合に用いるものである。
【００２０】
図２（ｂ）のように、袖引き出し４を最も左側に移動させ場合においても、天板１下側の膝入れ空間Ｓに配設した横幅が長い棚体２２と袖引き出し４とが干渉しないように、天板１の横幅を、袖引き出し４の横幅と横幅が長い棚体２２の横幅との和よりも大きく形成している。
【００２１】
図１において、天板１の左右後側には脚３が係合する切り欠き部１ａ，１ａが形成され、背板２にも脚３が係合する切り欠き部２ａ，２ａが形成されている。図１〜図３において、脚３は、前記天板１の切り欠き部１ａ及び背板２の切り欠き部２ａに係合して、脚３の後側が背板２の側面に螺設されると共に、脚３の上側が天板２に取着した脚固定用板１８に螺設され、天板の側端部から出っ張らないように構成されている。また、前記のとおり天板１の後端には背板２が螺設されている。したがって、天板１、背板２及び脚３が固定されているため、机がより強固に構成されている。また、天板及び背板の切り欠き部１ａ，２ａにより脚３取り付け時の位置決めが容易であると共に、机を左右に並設する場合でも脚が邪魔にならない。さらに、脚３には水平出しの微調整を行うためのレベリングボルト３ａが、袖引き出し４には天板４ａ、複数の引き出し４ｂ，・・・、及び、複数のキャスター４ｃ，・・・が設けられている。なお、キャスター４ｃではなく、コロを用いることもできる。
【００２２】
脚３と袖引き出し４とは入れ替えることができ、すなわち、天板１下面左に袖引き出し４を左右方向に移動可能に配設し、天板１右側面に脚３を配設することもできる。また、天板１と袖引き出し４との左右方向の相対移動は、天板１と袖引き出し４との間に設けられたスライドレール等のガイド手段により案内され、容易に行うことができるが、特に木製の机においては、木製の天板及び袖引き出しとの相性、コスト及び意匠面の配慮等から、以下において説明する上面ガイド手段及び後面ガイド手段の構成がより望ましいものである。
【００２３】
図４は、袖引き出しの左右方向の移動を案内する上面ガイド手段の説明用斜視図である。また、図５は、袖引き出しの左右方向の移動を案内する上面ガイド手段及び後面ガイド手段の説明用部分断面側面図である。天板１の下面には、その前側に木製の前ガイド部材６が、その後側に木製の後ガイド部材７が螺設されている。また、天板１の下面と前ガイド部材６とにより、前ガイド部材６の後側に左右方向に延びた溝部８が形成され、天板１の下面と後ガイド部材７とにより、後ガイド部材７の後側に左右方向に延びた溝部９が形成されている。
【００２４】
木製の係合手段１０を構成する当接部材１１及び固定部材１２は、図４のように組み合わせられ、袖引き出し４の左右両側面に装着した雌ねじ（例えば、袖引き出し４の左右両側面に嵌設した鬼目ナット）１３ａ，１３ａにボルト１３ｂ，１３ｂを螺合することにより袖引き出し４の左側（図４の例では左側面）に取着される。該係合手段１０には、上面１０ａ、前面１０ｂ及び後面１０ｃが形成されている。また、係合手段１０には、ガイド部材６及び７に沿って移動可能に係合する係合部である、前記溝部８に係合する前係合部材１４及び前記溝部９に係合する後係合部材１５が前後に螺設されている。なお、前係合部材１４及び後係合部材１５はスチール等の金属により形成されている。また、係合手段１０は、同様の方法により袖引き出し４の右側に取着することもできる。係合手段１０を取着しない側の雌ねじ１３ａ，１３ａを利用して図１及び図２のようにハンガー１６を袖引き出し４に取着することができる。該ハンガー１６は、袖引き出し４を左右方向に移動させる場合の取っ手も兼ねている。
【００２５】
係合手段１０並びにガイド手段６及び７が、袖引き出し４の左右方向の移動を案内する、天板１下面と袖引き出し４の上面４ａ間に配設された上面ガイド手段を構成しており、係合手段１０の前面１０ｂは前ガイド部材６の後面６ａと対向するように、また、係合手段１０の後面１０ｃは後ガイド部材７の前面７ａと対向するように形成されている。また、係合手段１０は前ガイド部材６の後面６ａと後ガイド部材７の前面７ａ間の距離よりも若干小さい前後方向の長さを有し（例えば、係合手段１０の前後方向の長さは約２５０ｍｍ程度、係合手段１０と前後のガイド部材とのクリアランスは０．５ないし１ｍｍ程度。）、左右方向にも一定の幅を有している（例えば、係合手段１０の左右方向の幅は８０ないし１００ｍｍ程度。）。このように、係合手段１０の前面１０ｂと前ガイド部材６の後面６ａとの対向面積、及び、係合手段１０の後面１０ｃと後ガイド部材７の前面７ａとの対向面積を比較的大きく確保しているため、天板１と袖引き出し４との左右方向の相対移動時において、袖引き出し４に取着した係合手段１０は、前ガイド部材６の後面６ａ及び後ガイド部材７の前面７ａに案内され、袖引き出し４の鉛直軸まわりの回転又はこじれ等を生じずにスムーズな移動を行うことができる。
【００２６】
図４において、前ガイド部材６及び後ガイド部材７の左右には、支持手段１７，１７が配設されている。図２のように、袖引き出し４が配設されている天板１下面右側の支持手段１７の下面と袖引き出し４の上面４ａとは、直接又はフェルト等の緩衝部材を介して当接し、袖引き出し４が天板１及び背板２の荷重を支持している。また、図４において、係合手段１０の上面１０ａを天板１の下面と直接又はフェルト等の緩衝部材を介して当接するようにすれば、この当接面を介して、袖引き出し４に天板１及び背板２の荷重を支持させるように構成することもできる。
【００２７】
また、図４において、支持手段１７，１７に係合手段１０の左又は右の側面が当接するため、袖引き出し４の天板１の側端を越える側方への移動量を規制することにより、天板１と袖引き出し４とが外れるのを防止することができる。また、図４の左側の支持手段１７には脚固定用板１８が螺設されており、この脚固定用板１８には脚３が螺設されている（図２参照。）。左右の脚３及び袖引き出し４を入れ替えて使用する場合には、前記のように係合手段１０を袖引き出し４の右側に取着して、該袖引き出し４を天板１の左下に配設すると共に、右側の支持手段１７に脚固定用板１８を螺設して、該脚固定用板１８に脚３を螺設すればよい。このように使用する場合は、脚３は、図１におけるが天板１の右側の切り欠き部１ａに係合する。
【００２８】
図５において、背板２の下部には左右方向に延びた長孔１９が形成されており（図２（ａ）参照。）、袖引き出し４の後面下側には前記長孔１９に対応する位置に雌ねじ（例えば、袖引き出し４の後面下側に嵌設した鬼目ナット）２０ａが配設されている。したがって、背板２の後面側からボルト２０ｂを前記長孔１９に挿入して前記雌ねじ２０ａと螺合することにより、袖引き出し４を固定することができ、袖引き出し４の左右方向の移動後の位置を固定する固定手段を構成することができる。また、ボルト２０ｂを緩めて、ボルト２０ｂを雌ねじ２０ａから外さない状態で袖引き出し４の移動を行うことにより、袖引き出し４の左右方向の移動を案内することができるため、背板２下部に形成された左右方向に延びた長孔１９、袖引き出し４の後面下部に配設された雌ねじ２０ａ、及び、背板２の後面側から長孔１９を通して雌ねじ２０ａに螺合するボルト２０ｂは、袖引き出し４の左右方向の移動を案内する、背板２前面と袖引き出し４後面間に配設された後面ガイド手段としての機能も有するものである。
【００２９】
さらに、左右方向に延びた長孔１９は、袖引き出し４を内側に（図１〜３において、天板１に対して左側に）移動させた場合に、前ガイド部材６及び後ガイド部材７の右側に配設された支持手段１７から袖引き出し４が外れない位置（例えば、図２（ｂ）の位置）で、ボルト２０ｂが前記長孔１９の左端に当接することにように形成されている。また、左右方向に延びた長孔１９は、ボルト２０ｂが当接する右端の位置を調整することにより、袖引き出し４の右方向の移動量を規制することができる。したがって、ボルト２０ｂの長孔１９の左右端への当接によって袖引き出し４の左右方向の移動量を規制することにより、天板１と袖引き出し４とが外れるのを防止することができる。
【００３０】
上面ガイド手段を構成する前ガイド部材６、後ガイド部材７及び係合手段１０による天板１と袖引き出し４の案内、並びに、後面ガイド手段及び固定手段を構成する長孔１９、雌ねじ２０ａ及びボルト２０ｂによる背板２と袖引き出し４との案内又は固定により、机全体の剛性及び安定性を向上することができる。特に、前記上面ガイド手段と前記後面ガイド手段及び固定手段との距離が離れているため、より効果的に机全体の剛性及び安定性を向上することができる。また、袖引き出し４の後面ガイド手段及び固定手段としては、図５のように背板２の後面側からボルトを螺合する構成の他、袖引き出し４の左右側面下部に孔を明けたフランジ部を設け、机の正面側から前記フランジの孔にボルトを挿入して背板２に配設した雌ねじ（例えば、背板２に嵌設した鬼目ナット）と螺合することにより、袖引き出し４を案内又は固定することもできる。
【００３１】
図６は、棚体の背板への取付構造を示す斜視図である。横幅が短い棚体２１，２１において、間隙をあけて前後に並設された棚板２３及び２４の左右両端には固定板２５及び２６が螺設されている。また、棚板２３及び２４上の左右方向の適宜位置には仕切板２７及び２８が載置され前記間隙の下部から挿入したボルト２９，２９（図２参照。）により棚板２３及び２４上に固定されている。また、横幅が長い棚体２２は、横幅が短い棚体２１の棚板２３及び２４に比べ、棚板３０及び３１が左右方向に長く形成されている他は横幅が短い棚体２１と同様の構成である。棚体２１及び２２の仕切板２７及び２８の左右方向位置の変更は、ボルト２９，２９を緩めた後に仕切板２７及び２８の左右方向位置を変更してボルト２９，２９を締め付けることにより容易に行うことができる。なお、以上の説明においては、仕切板が２枚の場合を説明したが、仕切板は１枚又は３枚以上であってもよい。さらに、棚板２３及び２４並びに棚板３０及び３１の左右両端に螺設されている固定板２５及び２６は、図６においては下側が下方に延出しているが、この延出部が上側になるように構成することにより仕切板をなくすこともできる。たとえば、左右の固定板２５及び２６を入れ替えることにより前記延出部を上側にすることができる。
【００３２】
一体に形成された背板２の天板１上側（図６の矢印Ｕ側）及び下側（図６の矢印Ｌ側）には、横幅が短い棚体２１及び横幅が長い棚体２２の横幅に合わせて、すなわち、棚体２１及び２２の両固定板２５，２６の後面に配設された雌ねじ３３ａ，３３ａ（例えば、固定板２５及び２６の後部に嵌設した鬼目ナット）間のピッチに合わせて、取付手段である上下方向複数個の棚体取付孔３２，・・・が、背板２の天板１上側及び下側に左右方向に少なくとも３列（図６の例では４列）形成されている。これらの棚体取付孔３２，・・・を通して、背板２の後面側から、棚体２１及び２２の固定板２５及び２６の後面の雌ねじ３３ａ，・・・にボルト３３ｂ，・・・を螺合することにより、棚体２１及び２２を容易に取り付けることができる。また、ボルト３３ｂ，・・・を緩めることにより棚体２１及び２２は容易に取り外すことができる。したがって、背板２の天板１の上側及び下側、並びに、背板２の左右方向及び高さ方向を変えて選択した棚体取付孔３２，・・・を用いて、複数の棚体２１，２２の背板２への選択的な配置を行うことができる。また、背板２は、天板１の上下で同一平面となる形態で一体に形成されていると共に天板１の後面に取着されている。したがって、棚付き机の構成がより簡素になると共に棚体の支持剛性及び強度が向上する。
【００３３】
本発明の実施の形態に係る棚付き机は、図６のような棚体の取付構造を採用したため、棚体の横幅を変えるための棚体２１と棚体２２の付け替え、棚体の高さを変えるための棚体２１，２２の上又は下への付け替え、及び、棚体２１，２２の左又は右への移設等を、使用者の成長に伴う学習作業形態の変化又は机上形態の好み等に応じて、非常に容易に行うことができる。また、棚体２１及び２２は背板２に固定されるため天板１上のスペースを塞ぐことがなく、天板１上面を広く使用することができる。
【００３４】
図６において、取付手段である上下方向複数個の棚体取付孔３２，・・・は、前記のとおり、天板１上側（図６の矢印Ｕ側）及び下側（図６の矢印Ｌ側）に、左右方向に４列形成されている。図中Ｌ１は横幅が短い棚体２１の左右方向の取付ピッチを、Ｌ２は横幅が長い棚体２２の左右方向の取付ピッチを示している。すなわち、横幅が短い棚体２１は、一番左の列と左から二番目の列の棚体取付孔３２，・・・、又は、一番右の列と右から二番目の列の棚体取付孔３２，・・・を利用して背板２に螺設され、横幅が長い棚体２２は、一番左の列と右から二番目の列の棚体取付孔３２，・・・、又は、一番右の列と左から二番目の列の棚体取付孔３２，・・・を利用して背板２に螺設される。このような棚体取付孔３２，・・・の配列により、一番左の列と一番右の列の棚体取付孔３２，・・・は横幅が異なる２種類の棚体２１，２２で共用されるため、背板２に形成する棚体取付孔３２，・・・の数を減らすことができる。また、横幅が異なる２種類の棚体２１，２２で各々使用する棚体取付孔３２，・・・の位置が明確であるので、棚体の付け替え作業をより容易に行うことができる。
【００３５】
天板１下側（図６の矢印Ｌ側）の左から３列の棚体取付孔３２，・・・は、図２のように、天板１左側面に脚３を配設し、天板１下面右に袖引き出し４を配設した場合に使用するものである。また、天板１下側（図６の矢印Ｌ側）の右から３列の棚体取付孔３２，・・・は、天板１下面左に袖引き出し４を配設し、天板１右側面に脚３を配設した場合に使用するものである。
【００３６】
また、図６において、棚体取付孔３２，・・・は、天板１上側（図６の矢印Ｕ側）に上下方向に９個、天板１下側（図６の矢印Ｌ側）に、上下方向に１４個形成されている。これらの上下の棚体取付孔３２，・・・を選択して棚体２１及び２２を背板２に螺設することにより、背板２に取着する棚体２１及び２２の高さを所望の高さにすることができる。
【００３７】
なお、取付手段である上下方向複数個の棚体取付孔３２，・・・を、背板２の天板１上側及び下側に左右方向に３列形成した場合においては、前記３列の棚体取付孔３２，・・・の一番左の列と中間の列及び／又は前記３列の棚体取付孔３２，・・・の一番右の列と中間の列を横幅が短い棚体の取り付けに使用し、前記３列の棚体取付孔３２，・・・の一番左の列と一番右の列を横幅が長い棚体の取り付けに使用することができ、一番左の列及び／又は一番右の列の棚体取付孔３２，・・・は横幅が異なる２種類の棚体で共用されるため、背板２に形成する棚体取付孔３２，・・・の数を減らすことができる。また、横幅が異なる２種類の棚体で各々使用する棚体取付孔３２，・・・の位置が明確であるので、棚体の付け替え作業をより容易に行うことができる。
【００３８】
図７は、例えば図２（ａ）から棚体の使用形態を変更した例を示す正面図である。図７（ａ）は天板１上側の同一高さに横幅が短い棚体２１，２１を並設し、天板１下側の膝入れ空間Ｓの後側の適宜位置に横幅が長い棚体２２を配設した場合、図７（ｂ）は天板１上側に横幅が短い棚体２１を左側に横幅が長い棚体２２を右側に並設し、天板１下側の膝入れ空間Ｓの後側の適宜位置に横幅が短い棚体２１を配設した場合を示している。このような使用形態は、例えばパーソナルコンピュータを使用しない場合において机上の棚体に多くの書籍を収納したい場合等に用いるものである。例えば図２（ａ）から図７（ａ）への棚体の使用形態の変更は、棚体２１の膝入れ空間Ｓから天板１上側左への移設及び天板１上側右の棚体２１の高さ変更を伴い、図２（ａ）から図７（ｂ）への棚体の使用形態の変更は、棚体２１の膝入れ空間Ｓから天板１上側左への移設、膝入れ空間Ｓの棚体２２と天板１上側右の棚体２１との交換及び高さ変更を伴うものであるが、前記のとおりの棚体２１及び２２の取り外し及び取り付けにより容易に行うことができる。したがって、使用者の成長に伴う学習作業形態の変化又は机上形態の好み等に対応して、複数の棚体２１，２２の背板２への選択的な配置を迅速に行うことができる。
【００３９】
図８は、袖引き出しが固定タイプの棚付き机の例を示す正面図であり、図１〜図７と同一符号は同一又は相当部分を示している。図８において、天板１右下には固定タイプの袖引き出し３４が、膝入れ空間Ｓの後側には天板１下側に配設された背面部材である幕板３５が配設されている。また、幕板３５には、図２における天板１下側の背板２に形成された左から３列の棚体取付孔３２，・・・と同様の棚体取付孔３２，・・・が形成されている。棚体取付孔３２，・・・は、図１〜６のように背板２に形成するだけでなく、天板１の後側に、該天板１の上側及び下側に配設された背面部材である机上パネル又は幕板等にも形成することができ、これら棚体取付孔３２，・・・の所望位置に棚体２１，２２を螺設することができる。このような構成においても、図１〜図７の構成と同様に、棚体の幅選択の自由度、並びに、棚体の高さ方向及び左右方向の配設の自由度が高く、使用形態等の変化に容易に対応できる実用的な棚付き机を得ることができる。
【００４０】
本発明に係る棚付き机の構成としては、以上の説明のような天板の一側部が脚で他側部が袖引き出しで支持された構成の他、天板の両側部共に脚で支持された構成、又は、両側部共に袖引き出しで支持された構成を採用することができる。
【００４１】
以上の説明においては、棚体の横幅の種類が２種類の場合において説明したが、本発明における棚体の横幅の種類は３種類以上であってもよく、机に取着する棚体の横幅に合わせて、棚体取付孔３２，・・・を、天板の後側に、該天板の上側及び下側に配設された背面部材である背板、机上パネル又は幕板等に形成しておけばよい。
【００４２】
また、以上の説明においては、背板、机上パネル又は幕板等の背面部材の天板１の上側及び下側に左右方向に少なくとも３列設けられた上下方向複数個の取付手段として、前記背面部材に棚体取付孔を形成し、これら棚体取付孔を利用して、少なくとも２種類の幅を有する複数の棚体を取り付ける構成を説明したが、前記取付手段は前記棚体取付孔に限定されるものではない。すなわち、前記取付手段として前記背板等に鬼目ナット等を嵌設し、前記棚体側からボルトを螺合させる構成等を適宜採用することができる。
【００４３】
【発明の効果】
この発明に係る棚付き机は、以上説明したように構成されているので、以下に示すような効果を奏する。
【００４４】
請求項１に係る発明によれば、簡素な構成でありながら、棚体の幅選択の自由度、並びに、棚体の高さ方向及び左右方向の配設の自由度が高く、使用形態等の変化に容易に対応できる実用的な棚付き机を得ることができる。
【００４５】
請求項２及び３に係る発明によれば、請求項１に係る発明の効果に加え、前記取付手段の共用により前記背面部材に形成する前記取付手段の数を減らすことができる。また、横幅が異なる２種類の棚体で各々使用する取付手段の位置が明確であるので、棚体の付け替え作業をより容易に行うことができる。
【００４６】
請求項４に係る発明によれば、請求項１〜３に係る発明の効果に加え、さらに容易に前記複数の棚体の前記背面部材への選択的な配置を行うことができる。
【００４７】
請求項５に係る発明によれば、請求項４に係る発明の効果に加え、前記固定板を利用して、容易に前記棚体の取り付け・取り外しを行うことができる。
【００４８】
請求項６に係る発明によれば、請求項１〜５に係る発明の効果に加え、構成がより簡素になると共に棚体の支持剛性及び強度が向上する。
【００４９】
請求項７に係る発明によれば、請求項１〜６に係る発明の効果に加え、前記袖引き出しを最も内側に移動させ場合においても、前記天板下側の膝入れ空間に配設した棚体と前記袖引き出しとが干渉しない。
【図面の簡単な説明】
【図１】本発明の実施の形態に係る棚付き机の構成例を示す斜視図である。
【図２】本発明の実施の形態に係る棚付き机の構成例を示す正面図であり、（ａ）は膝入れ空間を広げると共に袖引き出しの天板も机上スペースとして活用するために袖引き出しを右側に移動させた場合、（ｂ）は設置スペースを小さくするために袖引き出しを左側に移動させ場合を示している。
【図３】本発明の実施の形態に係る棚付き机の構成例を示す左側面図である。
【図４】袖引き出しの左右方向の移動を案内する上面ガイド手段の説明用斜視図である。
【図５】袖引き出しの左右方向の移動を案内する上面ガイド手段及び後面ガイド手段の説明用部分断面側面図である。
【図６】棚体の背板への取付構造を示す斜視図である。
【図７】棚体の使用形態の変更例を示す正面図であり、（ａ）は天板の上側に横幅が短い棚体を並設し、天板の下側の膝入れ空間の後側に横幅が長い棚体を配設した場合、（ｂ）は天板の上側に横幅が短い棚体を左側に横幅が長い棚体を右側に並設し、天板の下側の膝入れ空間の後側に横幅が短い棚体を配設した場合を示している。
【図８】袖引き出しが固定タイプの棚付き机の例を示す正面図である。
【符号の説明】
１  天板                            １ａ  切り欠き部
２  背板                            ２ａ  切り欠き部
３  脚                              ３ａ  レベリングボルト
４  袖引き出し                      ４ａ  袖引き出しの天板
４ｂ  引き出し                      ４ｃ  キャスター
６  前ガイド部材                    ６ａ  前ガイド部材６の後面
７  後ガイド部材                    ７ａ  後ガイド部材７の前面
８，９  溝部                        １０  係合手段
１０ａ  係合手段１０の上面          １０ｂ  係合手段１０の前面
１０ｃ  係合手段１０の後面          １１  当接部材
１２  固定部材                      １３ａ  雌ねじ
１３ｂ  ボルト                      １４  前係合部材
１５  後係合部材                    １６  ハンガー
１７  支持手段                      １８  脚固定用板
１９  長孔                          ２０ａ  雌ねじ
２０ｂ  ボルト                      ２１  横幅が短い棚体
２２  横幅が長い棚体                ２３，２４  棚板
２５，２６  固定板                  ２７，２８  仕切板
２９  ボルト                        ３０，３１  棚板
３２  棚体取付孔                    ３３ａ  雌ねじ
３３ｂ  ボルト                      ３４  袖引き出し
３５  幕板                          Ｓ  膝入れ空間
【図１】
2005013523.tif 000003
【図２】
2005013523.tif 000004
【図３】
2005013523.tif 000005
【図４】
2005013523.tif 000006
【図５】
2005013523.tif 000007
【図６】
2005013523.tif 000008
【図７】
2005013523.tif 000009
【図８】
2005013523.tif 000010